(57)【要約】【課題】複数の機器が組み付けられてなる複合機器において、各機器のケーシングに刻印やラベルを一般的な書体で入れた場合、各機器の組み付けが完了した段階では、各ケーシングのマークをその正面から見ることができず、刻印を読み辛いことがある。【解決手段】第一ケーシング１１と第二ケーシング１２とが組み付けられてなるコピー機１において、第二ケーシング１２の外面には、文字群「ＬＯＣＫ」が一般的な書体で描かれた正規マークを形状変化させた特殊マークが刻印により形成されると共に、第二ケーシング１２がコピー機１の一部として組付られた時に、ユーザが前記特殊マークを見ると予測される視線方向を設定し、前記特殊マークをその正面から見た形状は、前記正規マークをその正面から見た形状の縦横比を変化させてなる形状とする。【選択図】図２
2006033176.tif 000002
【特許請求の範囲】
【請求項１】
複数のケーシングが組み付けられてなり、
各ケーシングの表面を構成する各面の中に、各ケーシング間の位置関係や各ケーシングの高さ位置の関係により、そのケーシング表面を正面から見ることができない隠蔽面が存在する構成の機器であって、
前記隠蔽面には、文字、記号、ロゴタイプ等が一般的な書体で描かれた正規マークを形状変化させた特殊マークが印刷、刻印、ラベル貼付等により形成されると共に、
ユーザが前記特殊マークを見ると予測される視線方向を特定し、
前記視線方向に対する垂直な面への前記特殊マークの射影形状が、前記正規マークをその正面から見た形状と一致するように、
前記特殊マークの形状が形成される、
ことを特徴とする機器。
【請求項２】
複数のケーシングが組み付けられてなり、
各ケーシングの表面を構成する各面の中に、各ケーシング間の位置関係や各ケーシングの高さ位置の関係により、正面から見ることができない隠蔽面が存在する構成の機器であって、
前記隠蔽面には、文字、記号、ロゴタイプ等が一般的な書体で描かれた正規マークを形状変化させた特殊マークが印刷、刻印、ラベル貼付等により形成されると共に、
前記特殊マークをその正面から見た形状は、前記正規マークをその正面から見た形状の縦横比を変化させてなる形状とする、
ことを特徴とする機器。
【請求項３】
前記機器は、
プリンタとスキャナとを備えるコピー機とし、
プリンタが収容される第一ケーシングの上方にスキャナが収容される第二ケーシングが一部離間して配置され、
第二ケーシングの下面を前記隠蔽面とし、該隠蔽面に前記特殊マークが形成される、
ことを特徴とする請求項１または請求項２に記載の機器。
【発明の詳細な説明】
【技術分野】
【０００１】
本発明は、複数のケーシングが組み付けられてなり、各ケーシングの表面を構成する各面の中に、各ケーシング間の位置関係や各ケーシングの高さ位置の関係により、そのケーシング表面を正面から見ることができない隠蔽面が存在する構成の機器の技術に関する。
【背景技術】
【０００２】
製造された機器のケーシングには、文字、記号、ロゴタイプ等のマークが刻印やラベル貼付されるが、このマークが見難い場合がある。
特許文献１に開示される技術では、液晶マスク式レーザマーカによりマーキングされた製品において、中央部で深く周辺部で浅い刻印となって視認性が阻害される不具合を、マークの一部形状を階段状もしくは凹凸状にすることで改善している。
【特許文献１】特開平６−２３５７５号公報
【発明の開示】
【発明が解決しようとする課題】
【０００３】
ケーシングに形成されたマークが見難い場合としては、次のような場合もある。
例えば、スキャナとプリンタとが組み付けられてなるコピー機のような複合機器では、プリンタの上方に離間してスキャナが組み付けられるが、スキャナのケーシングの下面に入れられたマークは、その正面から見ることができず、斜め下方から見ることになる。このため、マークが一般的な書体で描かれている場合、斜め下方から見た形状は、縦横の一方向に縮小された形状であるなどして、そのマークを正しく視認することが困難となる。
【０００４】
つまり、解決しようとする問題点は、複数の機器が組み付けられてなる複合機器において、各機器のケーシングに刻印やラベルを一般的な書体で入れた場合、各機器の組み付けが完了した段階では、各ケーシングのマークをその正面から見ることができず、刻印を読み辛いことがある点である。
【課題を解決するための手段】
【０００５】
本発明の解決しようとする課題は以上の如くであり、次にこの課題を解決するための手段を説明する。
【０００６】
即ち、請求項１においては、
複数のケーシングが組み付けられてなり、
各ケーシングの表面を構成する各面の中に、各ケーシング間の位置関係や各ケーシングの高さ位置の関係により、そのケーシング表面を正面から見ることができない隠蔽面が存在する構成の機器であって、
前記隠蔽面には、文字、記号、ロゴタイプ等が一般的な書体で描かれた正規マークを形状変化させた特殊マークが印刷、刻印、ラベル貼付等により形成されると共に、
ユーザが前記特殊マークを見ると予測される視線方向を特定し、
前記視線方向に対する垂直な面への前記特殊マークの射影形状が、前記正規マークをその正面から見た形状と一致するように、
前記特殊マークの形状が形成される、ものである。
【０００７】
請求項２においては、
複数のケーシングが組み付けられてなり、
各ケーシングの表面を構成する各面の中に、各ケーシング間の位置関係や各ケーシングの高さ位置の関係により、正面から見ることができない隠蔽面が存在する構成の機器であって、
前記隠蔽面には、文字、記号、ロゴタイプ等が一般的な書体で描かれた正規マークを形状変化させた特殊マークが印刷、刻印、ラベル貼付等により形成されると共に、
前記特殊マークをその正面から見た形状は、前記正規マークをその正面から見た形状の縦横比を変化させてなる形状とする、ものである。
【０００８】
請求項３においては、
前記機器は、
プリンタとスキャナとを備えるコピー機とし、
プリンタが収容される第一ケーシングの上方にスキャナが収容される第二ケーシングが一部離間して配置され、
第二ケーシングの下面を前記隠蔽面とし、該隠蔽面に前記特殊マークが形成される、ものである。
【発明の効果】
【０００９】
本発明の効果として、以下に示すような効果を奏する。
【００１０】
請求項１においては、正面から見ることができず、斜め方向より見ざるを得ないマークであっても、ユーザは一般的な書体で書かれたマークとして見ることができ、視認性が向上している。
【００１１】
請求項２においては、正面から見ることができず、斜め方向より見ざるを得ないマークであっても、ケーシングに形成されたマークの視認性を向上させることができる。
【００１２】
請求項３においては、コピー機において、正面から見ることができない部位に形成されたケーシング上のマークの視認性が向上している。
【発明を実施するための最良の形態】
【００１３】
本発明の複合機器の一実施の形態であるコピー機１について、図面を用いて説明する。
コピー機１は、プリンタ２とスキャナ３とを備える機器である。
【００１４】
図１に示すように、コピー機１は、複数のケーシングが組み付けられてなる機器であり、プリンタ２が収容される第一ケーシング１１と、スキャナ３が収容される第二ケーシング１２とが組みつけられている。
第一ケーシング１１には、プリンタ２の他に、プリンタ２の下方に配置される複数の給紙カセット（給紙装置）４が、備えられている。
第二ケーシング１２には、スキャナ３の他に、スキャナ３の正面側に、ユーザがコピー１を操作ための手段である操作パネル５が備えられている。加えて、第二ケーシング１２には、スキャナ３の上方に、ＡＤＦ（自動原稿給送装置）６が付設されたプラテンカバー７が開閉自在に設けられている。
【００１５】
第二ケーシング１１の上面には、プリンタ２で印字された記録紙が排出される排出トレイ８が形成されている。
そして、排出トレイ８の上方に、ユーザが記録紙を取り出すための作業スペースが確保されるように、排出トレイ８より上方に離間した位置に、第二ケーシング１２が配置されている。また、第一ケーシング１１には、排出トレイ８の側方で上方に延出する支持部９・９が設けられており、この支持部９・９に第二ケーシング１２が支持されている。
つまり、第一ケーシング１１の上方に、第二ケーシング１２が一部離間して配置され、同じく第一ケーシング１１の一部である支持部９・９で接続される構成である。
【００１６】
以上構成のコピー機１において、第一ケーシング１１の上面や第二ケーシング１２の下面は、そのケーシング表面を正面から見ることができない面である。
第一ケーシング１１の上面は排出トレイ８であるが、第二ケーシング１２に阻まれて、その上面を正面から、すなわち第一ケーシング１１の上面の上側から真下を見下ろすように見ることができない。
また、第二ケーシング１２の下面は、第一ケーシング１１に阻まれて、その下面を正面から、すなわち第二ケーシング１２の下面の下側から真上を見上げるように見ることができない。
このような面を本明細書では隠蔽面と称する。
【００１７】
次に、前記隠蔽面におけるユーザの視線方向を考慮したマーキングについて説明する。
隠蔽面である第二ケーシング１２の下面には、「ＬＯＣＫ」（図３、図４に図示）という文字群が、第二ケーシング１２の外面に凹凸を形成することで、刻印されている。
図２には、第二ケーシング１２をその鉛直下方より見た場合の視線方向Ｂを示しているが、図３に、この視線方向Ｂより見た文字群「ＬＯＣＫ」１０の形状を示している。
また、図１、図２には、第二ケーシング１２の下面を見るユーザの視線方向Ａを示しているが、図４に、この視線方向Ａより見た文字群「ＬＯＣＫ」１０の形状を示している。
【００１８】
視線方向Ａとは、コピー機１の第二ケーシング１２の下面を、ユーザが覗き込もうとする際に、ユーザが第二ケーシング１２の下面の文字群「ＬＯＣＫ」１０を見る視線として予測される視線を、代表するものである。
このような予測される視線方向の設定は、シミュレーション等により行っても良ければ、単に床面より後上方へと向かう４５度方向、という風に行うものであっても良い。
詳しくは後述するが、予測される視線方向Ａを大まかでも特定する理由は、第二ケーシング１２の下面の文字群「ＬＯＣＫ」１０のように、文字群「ＬＯＣＫ」１０自体を正面から見ることができず、斜め方向から見ざるを得ない場合に、どの程度、見える文字の形状に歪みが生じるかを特定するためである。文字を見る角度が傾斜すればするほど、文字の縦横比などが歪んで見えることになる。
【００１９】
一方、視線方向Ｂは、コピー機１への第二ケーシング１２の組み付けが完了した状態では、実際上、ユーザが見ることのできない視線方向であるが、説明の便宜上、明細書中に視線方向Ｂを導入している。
この視線方向Ｂより見た文字群「ＬＯＣＫ」１０の形状は、第二ケーシング１２の下面の文字群「ＬＯＣＫ」１０を正面から見た形状である。つまり、通常、ケーシングに形成された文字等を、ユーザが見る場合の視点を意味する。
無論、組付け前においては、第二ケーシング１２の下面（組付け時の下面）を、その下面に対して垂直な方向、つまり視線方向Ｂより見ることが可能である。
【００２０】
なお、本実施の形態において、文字群「ＬＯＣＫ」１０の表示は、ユーザ等への操作指示内容を示すものであり、コピー機１の搬送時において、第二ケーシング１２内に設けられるロック機構を作動させるロックレバーの作動方向を示すものである。
第二ケーシング１２の下面には、文字群「ＬＯＣＫ」１０の側方に、ロックレバーを挿入するための開口１４が形成されており、この開口１４内に不図示のロックレバーが挿入される。このロックレバーはコピー機１と別体である。
【００２１】
図３、図４に示される文字群「ＬＯＣＫ」１０は、第二ケーシング１２の下面に形成された同じ刻印を見ているものであるが、それを見る視線方向が異なるために、人（ユーザ）に実際に見える形状自体は、異なる形状となる。
図３に示すように、文字群「ＬＯＣＫ」１０を構成する各文字は、第二ケーシング１２の外面（下面）に、一般的な書体における文字よりも縦長な形状となるように刻印されている。
一方、図４に示される文字群「ＬＯＣＫ」１０の形状は、視線方向Ａより見た文字群「ＬＯＣＫ」１０の形状であるが、この形状は、一般的な書体の文字を連ねてなる文字群の形状と一致する。つまり、一般的な書体の文字（文字群）を、その正面から見た場合の形状と一致する。このように、視線方向Ａの設定が行われているものである。
【００２２】
前述したように、視線方向Ａは、コピー機１において、文字群「ＬＯＣＫ」１０をユーザが覗き込む際に、予測される視線方向として特定されたものである。
つまり、視線方向Ａより見た文字群「ＬＯＣＫ」１０の形状（図４）が、このコピー機１において、ユーザにより通常見られる文字群「ＬＯＣＫ」１０の形状である。
すなわち、コピー機１においては、ユーザにより通常見られる文字群「ＬＯＣＫ」１０の形状が、一般的な書体の文字群となるように、文字群「ＬＯＣＫ」１０のマーキング（刻印）が第二ケーシング１２に施されているのである。
【００２３】
図２を用いて、視線方向による文字群「ＬＯＣＫ」１０の形状の違いについて説明する。
視線方向Ａは、床面より、その斜め上方に位置する文字群「ＬＯＣＫ」１０の刻印位置を見る方向である。
特に、前後方向では、視線方向Ａは、鉛直方向に対してはΘ度傾斜した角度方向であり、左右方向では、鉛直方向に一致する方向（水平方向に対して９０度方向）となっている。つまり、視線方向Ａは、文字群「ＬＯＣＫ」１０の刻印位置を、その真正面で床面より上方を見る方向となっている。
また、文字群「ＬＯＣＫ」１０の刻印は、その縦方向がコピー機１の縦方向に沿って形成され、その横方向がコピー機１の横方向に沿って形成されている。
したがって、視線方向Ａより見た文字群「ＬＯＣＫ」１０の形状は、実際の刻印形状に対して、その縦幅がｃｏｓΘ倍されると共に、横幅は等倍された形状となる。
図２において、文字群「ＬＯＣＫ」１０の実際の刻印の縦幅Ｈ０が、長さＬであるのに対して、視線方向Ａより見た文字群「ＬＯＣＫ」１０の縦幅Ｈ１は、長さＬ・ｃｏｓΘである。
【００２４】
ここで、一般的な書体で形成したマークを正規マークと称し、この正規マークを、視線方向の違いによる変形を予測して予め変形させたマークを特殊マークと称するものとする。
本実施の形態の場合は、第二ケーシング１２に実際に刻印された文字群「ＬＯＣＫ」１０が特殊マークであり、視線方向Ａより見た文字群「ＬＯＣＫ」１０の形状が、正規マークの形状（正規マークをその正面から見た形状）となっている。
【００２５】
以上で説明した、ユーザの視線方向を考慮したマーキングが施された機器（コピー機１）をまとめる。
この機器は、複数のケーシングが組み付けられてなり、各ケーシングの表面を構成する各面の中に、各ケーシング間の位置関係や各ケーシングの高さ位置の関係により、そのケーシング表面を正面から見ることができない隠蔽面が存在する構成の機器である。
本実施の形態では、この機器は、第一ケーシング１１および第二ケーシング１２よりなるコピー機１である。そして、コピー機１においては、第一ケーシング１１の上方に離間して第二ケーシング１２が配置される位置関係により、第一ケーシング１１の上面と、第二ケーシング１２の下面とが、そのケーシング表面を正面からみることができない隠蔽面となっている。
【００２６】
前記隠蔽面には、文字、記号、ロゴタイプ等が一般的な書体で描かれた正規マークを形状変化させた特殊マークが印刷、刻印、ラベル貼付等により形成されている。
本実施の形態では、前記隠蔽面の一つである第二ケーシングの下面に、操作指示内容を意味する文字群「ＬＯＣＫ」が正規マークとして設定されている。
【００２７】
また、ユーザが前記特殊マークを見る際に予測される視線方向が設定されている。
本実施の形態では、文字群「ＬＯＣＫ」１０を見る際に予測される視線方向は、前記視線方向Ａである。
【００２８】
そして、前記視線方向に対する垂直な面への前記特殊マークの射影形状が、前記正規マークをその正面から見た形状と一致するように、前記特殊マークの形状が形成されている。
本実施の形態では、前後方向では、視線方向Ａは、鉛直方向に対してはΘ度傾斜した角度方向であり、左右方向では、鉛直方向に一致する方向（水平方向に対して９０度方向）である。また、視線方向Ａに対する垂直な面への実際の刻印形状（特殊マーク）の射影形状は、その縦幅がｃｏｓΘ倍されると共に、横幅は等倍された形状となっている。そして、この射影形状（視線方向Ａより見た文字群「ＬＯＣＫ」１０の形状）が、正規マークに一致するものとなっている。そのように、視線方向Ａの設定が行われている。
【００２９】
このため、正面から見ることができず、斜め方向より見ざるを得ないマークであっても、ユーザは一般的な書体で書かれたマークとして見ることができ、視認性が向上している。
【００３０】
なお、前記の予測される視線方向の設定は、必ずしも厳密性を要求されるものではない。
例えば、予測される視線方向を水平方向に対する４５度方向として設定しておけば、実際にユーザが文字群「ＬＯＣＫ」１０を見る角度が６０度方向であったとしても、正面より見る場合（９０度方向より見る場合）を前提として書体を選定した場合よりは、歪みが小さなものとなる。つまり、斜め方向より見ざるを得ない部位のマークをすべて、４５度方向より見られるものと仮定して、書体を適宜変更した場合でも、斜め方向より見られることを考慮せず、すべて一般的な書体でマーキングを行った場合よりは、視認性において、遥かに大きな効果が得られるものである。
【００３１】
また、前記では、ユーザの視線方向を考慮して、正規マークと特殊マークとを対応するようにし、特殊マークの視線方向に垂直な面への射影形状が正規マークと一致するように特殊マークを設定している。
このような設定方法に代えて、次のような対応関係で、特殊マークの形状を設定するようにしても良い。つまり、前記特殊マークをその正面から見た形状は、前記正規マークをその正面から見た形状の縦横比を変化させてなる形状とする。
本実施の形態においても、特殊マークをその正面から見た形状は、正規マークをその正面から見た形状の縦横比を変化させてなる形状となっている。
つまり、文字群「ＬＯＣＫ」１０の実際の刻印形状（特殊マーク）は、文字群「ＬＯＣＫ」１０を一般的な書体で書いた場合の形状（正規マーク）に対して、その縦幅が１／ｃｏｓΘ倍されると共に、横幅は等倍された形状となっている。
【００３２】
このため、正面から見ることができず、斜め方向より見ざるを得ないマークであっても、ケーシングに形成されたマークの視認性を向上させることができる。
【００３３】
特に、本実施の形態では、前記機器は、プリンタ２とスキャナ３とを備えるコピー機１とし、プリンタ２が収容される第一ケーシング１１の上方にスキャナ３が収容される第二ケーシング１２が一部離間して配置され、隠蔽面である第二ケーシング１２の下面に前記特殊マークが形成されている。
【００３４】
このため、コピー機において、正面から見ることができない部位に形成されたケーシング上のマークの視認性が向上している。
【図面の簡単な説明】
【００３５】
【図１】本実施の形態であるコピー機を示す斜視図である。
【図２】文字「ＬＯＣＫ」刻印部位の周辺を示すコピー機の側面図である。
【図３】図２の視線方向Ｂより第二ケーシング下面を見た図である。
【図４】図２の視線方向Ａより第二ケーシング下面を見た図である。
【符号の説明】
【００３６】
１    コピー機（機器）
２    プリンタ
３    スキャナ
１０    文字群「ＬＯＣＫ」
１１    第一ケーシング
１２    第二ケーシング
Ａ    視線方向（予測される視線方向）
Ｂ    視線方向
Ｈ０    （視線方向Ｂより見た）縦幅
Ｈ１    （視線方向Ａより見た）縦幅
【図１】
2006033176.tif 000003
【図２】
2006033176.tif 000004
【図３】
2006033176.tif 000005
【図４】
2006033176.tif 000006